(57)【要約】【課題】各リバーシブル床材の浮き沈みを防止することのできるリバーシブル床面構造および床板施工用セットを提供すること。【解決手段】畳寄せ２により形成された所定の領域内にリバーシブル床材３を複数枚配置する。そして、隣接する一対のリバーシブル床材の側端部を連結部材１１の上側水平板部１１ｂと下側水平板部１１ｃとの間に挿入する。また、保持部材１２の水平板部１２ｂの下面をリバーシブル床材の表面に当接させた状態で、保持部材の垂直板部１２ａをリバーシブル床材の側面と畳寄せとの間に挿入する。【選択図】図２
2008127905.tif 000002
【特許請求の範囲】
【請求項１】
心材の一方の表面と他方の表面に互いに種類の異なる床材が貼着されたリバーシブル床材と、
垂直板部と、垂直板部の上端から両側方に延びる上側水平板部と、垂直板部の下端から両側方に延びる下側水平板部とを有し、上側水平板部と下側水平板部との間の距離が前記リバーシブル床材の厚みとほぼ等しい連結部材と、
垂直板部と、垂直板部の上端から少なくとも一側方に延びる水平板部とを有する保持部材とから構成され、
畳寄せにより形成された所定の領域内に前記リバーシブル床材を複数枚配置し、かつ、隣接する一対のリバーシブル床材の側端部を前記連結部材の上側水平板部と下側水平板部との間に挿入するとともに、前記保持部材の水平板部の下面をリバーシブル床材の表面に当接させた状態で前記保持部材の垂直板部をリバーシブル床材の側面と畳寄せとの間に挿入したことを特徴とするリバーシブル床面構造。
【請求項２】
前記保持部材の垂直板部の外側面にクッション材を配設したことを特徴とする請求項１に記載のリバーシブル床面構造。
【請求項３】
前記リバーシブル床材が、基材に防湿性シートを被覆してなる芯材の一方の表面に、弾性部材を介在させて畳表を他方の表面にまで引き回して貼着し、他方の表面に、段差調整用紙を介在させてフローリング材を貼着したことを特徴とする請求項１または請求項２に記載のリバーシブル床面構造。
【請求項４】
前記リバーシブル床材が、畳半畳の大きさに形成されていることを特徴とする請求項１〜３のいずれか１項に記載のリバーシブル床面構造。
【請求項５】
請求項１〜４のいずれか１項に記載のリバーシブル床面構造を施工するための床板施工用セットであって、
心材の一方の表面と他方の表面に互いに種類の異なる床材が貼着されたリバーシブル床材と、
垂直板部と、垂直板部の上端から両側方に延びる上側水平板部と、垂直板部の下端から両側方に延びる下側水平板部とを有し、上側水平板部と下側水平板部との間の距離が前記リバーシブル床材の厚みとほぼ等しい連結部材と、
垂直板部と、垂直板部の上端から少なくとも一側方に延びる水平板部とを有する保持部材とを具備することを特徴とする床板施工用セット。
【発明の詳細な説明】
【技術分野】
【０００１】
本発明は、表面および裏面の両面を床材として使用することのできるリバーシブル床材を配列して形成されるリバーシブル床面構造に係り、特に、各リバーシブル床材の浮き沈みを防止することのできるリバーシブル床面構造に関する。
【背景技術】
【０００２】
従来から、簡単に部屋の模様替えを行うことのできる床材として、床材の表面および裏面の両面にそれぞれ異なる種類、例えば畳表やフローリングといった床材を貼着したリバーシブル床材を作成し、このリバーシブル床材をあらかじめ所定の大きさに形成された畳寄せ内に縦方向および横方向にそれぞれ複数列配列して構成されるリバーシブル床面構造が提案されている。
【０００３】
このような従来のリバーシブル床面構造の一例としては、表面および裏面の両面にそれぞれ貼着される床材として、畳表、カーペット、フローリング材、樹脂シート、コルク材シート、人工芝、塗り木材、タイル等が挙げられ、これら床材に応じて硬さの異なる、ポリスチレンの発泡体、ウレタン発泡体、グラスウール、綿、わら材、塩化ビニール発泡体あるいはＡＢＳ発泡体等からなる芯材が適宜選定される（例えば、特許文献１参照）。
【０００４】
【特許文献１】特開平９−２３５８６０号公報
【発明の開示】
【発明が解決しようとする課題】
【０００５】
しかしながら、前述したような従来のリバーシブル床面構造においては、芯材に貼着される２種類の床材の性質から、芯材に弾性が求められる場合、形成されたリバーシブル床材を配列してリバーシブル床面構造を構成し、このリバーシブル床面構造上において実際に生活をすると、芯材の弾性により各リバーシブル床材の端縁に浮き沈みが生じてしまうという問題があった。
【０００６】
そこで、本発明は、各リバーシブル床材の浮き沈みを防止することのできるリバーシブル床面構造および床板施工用セットを提供することを目的とするものである。
【課題を解決するための手段】
【０００７】
前述した目的を達成するため本発明に係るリバーシブル床面構造の特徴は、心材の一方の表面と他方の表面に互いに種類の異なる床材が貼着されたリバーシブル床材と、垂直板部と、垂直板部の上端から両側方に延びる上側水平板部と、垂直板部の下端から両側方に延びる下側水平板部とを有し、上側水平板部と下側水平板部との間の距離が前記リバーシブル床材の厚みとほぼ等しい連結部材と、垂直板部と、垂直板部の上端から少なくとも一側方に延びる水平板部とを有する保持部材とから構成され、畳寄せにより形成された所定の領域内に前記リバーシブル床材を複数枚配置し、かつ、隣接する一対のリバーシブル床材の側端部を前記連結部材の上側水平板部と下側水平板部との間に挿入するとともに、前記保持部材の水平板部の下面をリバーシブル床材の表面に当接させた状態で前記保持部材の垂直板部をリバーシブル床材の側面と畳寄せとの間に挿入した点にある。
【０００８】
このような構成を採用したことにより、配置された各リバーシブル床材が、隣接する一対のリバーシブル床材においてそれぞれ連結部材の上側水平板部と下側水平板部との間に側端部が挿入されて保持されるので、リバーシブル床材に荷重が掛かった際に、リバーシブル床材の側端部に浮き沈みが生じることを防止することができる。また、配列された各リバーシブル床材の外周縁においても、各リバーシブル床材の端縁と畳寄せとの間に嵌め込まれた保持部材が、各リバーシブル床材の畳寄せに対する圧力により強固に保持され、この保持部材の水平板部によりリバーシブル床材の側端部が保持され、各リバーシブル床材の側端部に浮きが生じることを防止することができる。この結果、本発明に係るリバーシブル床材構造上において、快適に生活することが可能となる。
【０００９】
また、本発明に係るリバーシブル床面構造の他の特徴は、前記保持部材の垂直板部の外側面にクッション材を配設した点にある。
【００１０】
このような構成を採用したことにより、畳寄せ内に複数のリバーシブル床材を配列した際に、各リバーシブル床材の端縁と畳寄せとの間に多少の隙間が生じた場合、保持部材に配設されたクッション材により隙間が埋められるとともに、各リバーシブル床材に対して畳寄せの内側方向に圧力を掛け、各リバーシブル床材を畳寄せ内に確実に保持させることができる。
【００１１】
また、本発明に係るリバーシブル床面構造の他の特徴は、前記リバーシブル床材が、基材に防湿性シートを被覆してなる芯材の一方の表面に、弾性部材を介在させて畳表を他方の表面にまで引き回して貼着し、他方の表面に、段差調整用紙を介在させてフローリング材を貼着した点にある。
【００１２】
このような構成を採用したことにより、畳表が貼着された表面には弾性を持たせることができるとともに、フローリング材が貼着された表面には硬さを持たせることができる。また、芯材が、基材に防湿性シートを被覆させて構成されているので、芯材の防腐性および防カビ性を向上させることができ、清潔な床面を長く維持することができる。
【００１３】
また、本発明に係るリバーシブル床面構造の他の特徴は、前記リバーシブル床材が、畳半畳の大きさに形成されている点にある。
【００１４】
このような構成を採用したことにより、一般家庭にある様々な間取りの部屋にも適用することが可能となる。
【００１５】
また、本発明に係る床板施工用セットの特徴は、心材の一方の表面と他方の表面に互いに種類の異なる床材が貼着されたリバーシブル床材と、垂直板部と、垂直板部の上端から両側方に延びる上側水平板部と、垂直板部の下端から両側方に延びる下側水平板部とを有し、上側水平板部と下側水平板部との間の距離が前記リバーシブル床材の厚みとほぼ等しい連結部材と、垂直板部と、垂直板部の上端から少なくとも一側方に延びる水平板部とを有する保持部材とを具備する点にある。
【００１６】
本発明に係る床板施工用セットによれば、リバーシブル床材、連結部材および保持部材がセットになっているため、前述した本発明に係るリバーシブル床面構造を簡単に施工することができる。
【発明の効果】
【００１７】
本発明のリバーシブル床面構造および床板施工用セットによれば、各リバーシブル床材の浮き沈みを防止することができるとともに、様々な間取りの部屋にも適用することができる。
【発明を実施するための最良の形態】
【００１８】
以下、本発明に係るリバーシブル床面構造および床板施工用セットを図面に示す実施形態により説明する。図１は本発明に係るリバーシブル床面構造の実施形態を示す概略上面図、図２は図１の要部断面図、図３は本実施形態の連結部材の端部の形状を示す概略図、図４〜図１１は本実施形態のリバーシブル床面構造の施工方法の説明図、図１２および図１３は本実施形態のリバーシブル床面構造の他の施工例を示す上面図である。
【００１９】
本実施形態のリバーシブル床面構造の施工に用いる床板施工用セットは、複数枚のリバーシブル床材と、隣接して配置される一対のリバーシブル床材の各側端部を挿入して保持する連結部材と、配置された各リバーシブル床材の外周縁と畳寄せとの間に嵌め込まれ、各リバーシブル床材の外周縁を保持する保持部材とが同一の箱内に梱包されている。
【００２０】
本実施形態のリバーシブル床面構造１は、図１および図２に示すように、所定の広さ（本実施形態においては四畳半）に形成された畳寄せ２内に、縦方向および横方向にそれぞれ複数列（本実施形態においては３列）配列されたリバーシブル床材３と、隣接する一対のリバーシブル床材３，３の各側端部を保持する連結部材１１と、畳寄せ２と配列された各リバーシブル床材３の外周縁との間にそれぞれ嵌め込まれ、各リバーシブル床材３の外周縁を保持する保持部材１２により形成されている。
【００２１】
各リバーシブル床材３は、図２に示すように、中密度の木質繊維圧縮板（ＭＤＦボード）からなる基材５の表面に複数枚の防湿紙およびポリエチレンフィルム等からなる防湿シート６が被覆された芯材４と、不織布ポリエステル等の弾性部材７と、段差調整用紙８と、畳表９と、フローリング材１０とから構成され、畳半畳の大きさ（８５３ｍｍ×８５３ｍｍ）に形成されている。
【００２２】
そして、芯材４の一方の表面４ａに弾性部材７が貼着され、この弾性部材７の表面から芯材４の反対側の表面４ｂの端縁に引き回して畳表９が貼着されている。そして、さらに、芯材４の表面４ｂの畳表９の端縁が引き回されていない面に段差調整用紙８が貼着され、この段差調整用紙８および表面４ｂに引き回された畳表９の端縁の表面にフローリング材１０が貼着されている。
【００２３】
各連結部材１１は、プラスチックにより一体に形成されたもので、図１および図２に示すように、リバーシブル床材３の側面に沿って延在する平板状の垂直板部１１ａと、垂直板部１１ａの上端から両側方に延びる上側水平板部１１ｂと、垂直板部１１ａの下端から両側方に延びる下側水平板部１１ｃとを有し、断面形状がほぼエ字形状に形成されている。
【００２４】
そして、各連結部材１１の上側水平板部１１ｂと下側水平板部１１ｃとの鉛直方向における間隔は、リバーシブル床材３の厚さとほぼ同じ間隔に形成されており、上側水平板部１１ｂには、リバーシブル床材３の畳表９およびフローリング材１０に合わせて塗装処理あるいはラッピング処理が施されている。
【００２５】
なお、各連結部材１１の下側水平板部１１ｃは、各連結部材１１が交差する箇所において、図３に示すように、端部に切欠き部１１ｄが形成されている。
【００２６】
各保持部材１２は、プラスチックにより一体に形成されたもので、図１および図２に示すように、リバーシブル床材３の側面に沿って延在する平板状の垂直板部１２ａと、垂直板部１２ａの上端からリバーシブル床材３側へ延びる水平板部１２ｂとを有し、断面形状がほぼ逆Ｌ字形状に形成されている。なお、本実施形態の保持部材１２は、垂直板部１２ａの上端に一側方に延びる水平板部１２ｂを形成して断面形状をほぼ逆Ｌ字形状としているが、これに限定されるものではなく、垂直板部１２ａの上端に両側方に延びる水平板部を設けて断面形状がほぼＴ字形状となるようにしてもよい。
【００２７】
そして、各保持部材１２の水平板部１２ｂには、連結部材１１の上側水平板部１１ｂと同様に、リバーシブル床材３の畳表９およびフローリング材１０に合わせて塗装処理あるいはラッピング処理が施されている。
【００２８】
また、各保持部材１２の垂直板部１２ａの外側面には、スポンジ状樹脂発泡体などの弾性体からなるクッション材１３が貼り付けられている。このクッション材１３は、畳寄せ２内に複数のリバーシブル床材３が配列された際に、配列されたリバーシブル床材３と畳寄せ２との間に隙間が生じた場合、この隙間を埋めるとともに、リバーシブル床材３を内側方向に押圧する作用を有している。
【００２９】
つぎに、前述した構成からなるリバーシブル床面構造１の施工方法について説明する。なお、本実施形態では四畳半の広さに形成された畳寄せ２内に施工するものとし、この場合、リバーシブル床材３を９枚と、長さの異なる連結部材１１Ａ（１２６８ｍｍ）を４本、連結部材１１Ｂ（８３６ｍｍ）を２本、連結部材１１Ｃ（８３１ｍｍ）を２本と、長さの異なる保持部材１２Ａ（１７１４ｍｍ）、保持部材１２Ｂ（１６９８ｍｍ）、保持部材１２Ｃ（８５６ｍｍ）、保持部材１２Ｄ（８３７ｍｍ）各２本ずつとを用意する。
【００３０】
まず、図４に示すように、四畳半の広さに形成された畳寄せ２内に、上縁部（図面における上縁部、以下同じ）に保持部材１２Ａを配置するとともに、左縁部に保持部材１２Ｂを配置する。
【００３１】
つぎに、図５に示すように、配置された各保持部材１２Ａ，１２Ｂに畳表９を上面としたリバーシブル床材３を嵌め込んで１列目の上段（図面における上段、以下同じ）に配置し、このリバーシブル床材３の右端縁に連結部材１１Ｂを嵌め込む。
【００３２】
つぎに、図６に示すように、１列目の上段に配置されたリバーシブル床材３に嵌め込まれた連結部材Ｂの右方に畳表９を上面としたリバーシブル床材３を嵌め込み、このリバーシブル床材３の右端縁に連結部材１１Ｂを嵌め込むとともに、１列目および２列目の上段にそれぞれ配置された各リバーシブル床材３の下端縁（図面における下端縁、以下同じ）に連結部材１１Ａを嵌め込む。
【００３３】
つぎに、図７に示すように、畳寄せ２内の上縁部に保持部材１２Ｃを配置し、この保持部材１２Ｃと、２列目の上段に配置されたリバーシブル床材３の右端縁に嵌め込まれた連結部材１１Ｂとに、畳表９を上面としたリバーシブル床材３を嵌め込み３列目の上段に配置するとともに、畳寄せ２内の左端縁に配置された保持部材１２Ｂと、１列目および２列目の上段にそれぞれ配置された各リバーシブル床材３の下端縁に嵌め込まれた連結部材１１Ａとに畳表９を上面としたリバーシブル床材３を嵌め込み１列目の中段（図面における中段、以下同じ）に配置する。
【００３４】
つぎに、図８に示すように、２列目および３列目の上段に配置された各リバーシブル床材３の下端縁に連結部材１１Ａを嵌め込むとともに、１列目の中段に配置されたリバーシブル床材３の右端縁に連結部材１１Ｃを嵌め込み、１列目の各リバーシブル床材３の下端縁に嵌め込まれた連結部材１１Ａ，１１Ａと、１列目の中段に配置されたリバーシブル床材３の右端縁に嵌め込まれた連結部材１１Ｃとに、畳表９を上面としたリバーシブル床材３を嵌め込み２列目の中段に配置する。
【００３５】
つぎに、図９に示すように、２列目の中段に配置されたリバーシブル床材３の右端縁に連結部材１１Ｃを嵌め込み、この連結部材１１Ｃの右方に畳表９を上面としたリバーシブル床材３を嵌め込み３列目の中段に配置するとともに、３列目の上段および中段に配置された各リバーシブル床材３の左端縁と畳寄せ２との間に保持部材１２Ｂを嵌め込む。また、畳寄せ２内の左端縁に保持部材１２Ｄを配置するとともに、１列目および２列目の中段に配置された各リバーシブル床材３の下端縁に連結部材１１Ａを嵌め込み、これら保持部材１２Ｄおよび連結部材１１Ａに畳表９を上面としたリバーシブル床材３を嵌め込み１列目の下段（図面における下段、以下同じ）に配置する。
【００３６】
つぎに、図１０に示すように、２列目および３列目の中段に配置された各リバーシブル床材３の下端縁に連結部材１１Ａを嵌め込むとともに、１列目の下段に配置された各リバーシブル床材３の右端縁に連結部材１１Ｂを嵌め込み、これら連結部材１１Ａおよび連結部材１１Ｂに畳表９を上面としたリバーシブル床材３を嵌め込み２列目の下段に配置する。そして、１列目および２列目の下段に配置された各リバーシブル床材３の下端縁と畳寄せ２との間に保持部材１２Ａを嵌め込む。
【００３７】
つぎに、図１１に示すように、２列目の下段に配置されたリバーシブル床材３の右端縁に連結部材１１Ｂを嵌め込み、この連結部材１１Ｂの右方に畳表９を上面としたリバーシブル床材３を嵌め込み３列目の下段に配置する。この場合、リバーシブル床材３を配置する前に、畳寄せ２内の底部に一端が粘着テープなどの粘着材１５により床下地材に貼着され、畳寄せ２の外方に引き出された床板上げ用ひも１４をリバーシブル床材３の下方に介在させると、リバーシブル床材３を反転させる際や入れ替えを行う際に、この床板上げ用ひも１４を引き上げることにより容易にリバーシブル床材３を持ち上げて取り外すことができるようになる。さらに、最後に配置されるこのリバーシブル床材３を容易に取り外すことができることにより、他のリバーシブル床材３、連結部材１１および保持部材１２を順次容易に取り外すことが可能となる。
【００３８】
そして、３列目の下段に配置されたリバーシブル床材３の右端縁および下端縁と畳寄せ２との間に、それぞれ保持部材１２Ｄと保持部材１２Ｃとを嵌め込むことにより、全てのリバーシブル床材３の上面が畳表９とされたリバーシブル床面構造１が完成される。なお、各リバーシブル床材３を配置する際に、各保持部材１２Ａ，１２Ｂ，１２Ｃ，１２Ｄと畳寄せ２との間にほとんど隙間がない場合には、各保持部材１２Ａ，１２Ｂ，１２Ｃ，１２Ｄの垂直板部１２ａの外側面にクッション材１３を貼付けていないものを嵌め込むものとする。また、前述したリバーシブル床面構造１の施工方法における工程は一例であって、これに限定されるものではなく、例えば施工面積等に応じて各工程が前後する場合もある。
【００３９】
そして、前述した工程から構成されたリバーシブル床面構造１を、各リバーシブル床材３を反転させてフローリング材１０を上面とする場合には、前述した工程を逆に行ない各リバーシブル床材３を取り出した後、各リバーシブル床材３のフローリング材１０を上面にして同様の工程により配置することにより、フローリング材１０が上面とされたリバーシブル床面構造１が完成する。
【００４０】
また、各リバーシブル床材３を、図１２に示すような、畳表９を上面にしたもの、フローリング材１０を上面にしたものを交互に配置したり、図１３に示すような、１つの列のみフローリング材１０を上面にして配置したり、様々なパターンの床面を構成することが可能である。
【００４１】
そして、前述した構成からなる本実施形態のリバーシブル床面構造１によれば、畳寄せ２内に配置された各リバーシブル床材３の側端部が、それぞれ各連結部材１１の上側水平板部１１ｂおよび下側水平板部１１ｃ間に挿通されて保持されるとともに、保持部材１２の水平板部１２ｂにより保持されるので、各リバーシブル床材３に荷重が掛かった際に浮き沈みが生じることを防止することができる。
【００４２】
また、各リバーシブル床材３が、基材５に防湿シート６が被覆されてなる芯材４に、弾性部材７を介して畳表９が貼着され、段差調整用紙８を介してフローリング材１０が貼着されて構成されているので、畳表９とフローリング材１０に良好な質感を持たせることができるとともに、芯材４の防腐性および防カビ性を向上させることができ、清潔な床面を長く維持することができる。
【００４３】
なお、本発明は、前述した実施の形態に限定されるものではなく、必要に応じて種々の変更が可能である。
【図面の簡単な説明】
【００４４】
【図１】本発明に係るリバーシブル床面構造の実施形態を示す概略上面図
【図２】図１の要部断面図
【図３】本実施形態の連結部材の端部の形状を示す概略図
【図４】本実施形態のリバーシブル床面構造の施工方法の説明図
【図５】本実施形態のリバーシブル床面構造の施工方法の説明図
【図６】本実施形態のリバーシブル床面構造の施工方法の説明図
【図７】本実施形態のリバーシブル床面構造の施工方法の説明図
【図８】本実施形態のリバーシブル床面構造の施工方法の説明図
【図９】本実施形態のリバーシブル床面構造の施工方法の説明図
【図１０】本実施形態のリバーシブル床面構造の施工方法の説明図
【図１１】本実施形態のリバーシブル床面構造の施工方法の説明図
【図１２】本実施形態のリバーシブル床面構造の他の施工例を示す上面図
【図１３】本実施形態のリバーシブル床面構造の他の施工例を示す上面図
【符号の説明】
【００４５】
１  リバーシブル床面構造
２  畳寄せ
３  リバーシブル床材
４  芯材
５  基材
６  防湿シート
７  弾性部材
８  段差調整用紙
９  畳表
１０  フローリング材
１１  連結部材
１２  保持部材
１３  クッション材
１４  床板上げ用ひも
１５  粘着材
【図１】
2008127905.tif 000003
【図２】
2008127905.tif 000004
【図３】
2008127905.tif 000005
【図４】
2008127905.tif 000006
【図５】
2008127905.tif 000007
【図６】
2008127905.tif 000008
【図７】
2008127905.tif 000009
【図８】
2008127905.tif 000010
【図９】
2008127905.tif 000011
【図１０】
2008127905.tif 000012
【図１１】
2008127905.tif 000013
【図１２】
2008127905.tif 000014
【図１３】
2008127905.tif 000015